(57)【要約】  デバイス間通信を監視する方法は、第1無線装置及び第2無線装置がデバイス間ペアとしてデバイス間通信により互いに通信するように構成されることを判定することを含む。本方法は、デバイス間ペアにペア識別子を割り当てることを更に含む。ペア識別子は、盗聴から保護しながら、デバイス間ペアが互いに及び無線通信ネットワークのアクセスポイントと通信することを許容するように構成される。更に、本方法は、デバイス間通信に参加する場合にペア識別子を利用するように第1無線装置及び第2無線装置に指示することを含む。
2016516361.tif 000002
【特許請求の範囲】
【請求項１】
デバイス間通信を監視する方法であって、
第1無線装置及び第2無線装置がデバイス間ペアとしてデバイス間通信により互いに通信するように構成されることを判定する工程と、
前記デバイス間ペアにペア識別子を割り当てる工程であって、前記ペア識別子は、盗聴から保護しながら、前記デバイス間ペアが互いに及び無線通信ネットワークのアクセスポイントと通信することを許容するように構成される、工程と、
前記デバイス間通信に参加する場合に前記ペア識別子を利用するように前記第1無線装置及び前記第2無線装置に指示する工程と、
を有する方法。
【請求項２】
前記第2無線装置が、復調リファレンス信号に基づいて前記第2無線装置により受信される前記第1無線装置からのデバイス間信号を復調するように構成されるように、前記復調リファレンス信号を前記第2無線装置へ伝達する工程を更に有する請求項1に記載の方法。
【請求項３】
前記第1無線装置及び前記第2無線装置にデバイス間送信パラメータを伝達する工程と、
前記デバイス間送信パラメータに基づいて前記デバイス間通信を実行するように、前記第1無線装置及び前記第2無線装置に指示する工程と、
を更に有する請求項1に記載の方法。
【請求項４】
前記第1無線装置及び前記第2無線装置にスケジューリング情報を伝達する工程を更に有する請求項1に記載の方法。
【請求項５】
デバイス間信号を前記第2無線装置へ伝達するように前記第1無線装置に指示する工程と、
前記第2無線装置が前記第1無線装置から前記デバイス間信号を受信したことを示すアクノリッジ信号を前記第2無線装置から受信する工程と、
前記アクノリッジ信号を受信することに応答して、以後のデバイス間信号を前記第2無線装置に伝達するように、前記第1無線装置に指示する工程と、
を更に有する請求項1に記載の方法。
【請求項６】
デバイス間信号を前記第2無線装置へ伝達するように前記第1無線装置に指示する工程と、
前記第2無線装置が前記第1無線装置から前記デバイス間信号を受信しなかったことを示す否定アクノリッジ信号を前記第2無線装置から受信する工程と、
前記否定アクノリッジ信号を受信することに応答して、前記デバイス間信号を前記第2無線装置に再伝達するように、前記第1無線装置に指示する工程と、
を更に有する請求項1に記載の方法。
【請求項７】
前記アクセスポイントにより受信される前記第2無線装置からのフィードバック信号に基づいて、前記第2無線装置に送信される前記第1無線装置からのデバイス間信号に関連する電力レベルを調整するように、前記第1無線装置に指示する工程であって、前記フィードバック信号は、前記第1無線装置及び前記第2無線装置の間の前記デバイス間通信に関連する情報を示す、工程をさらに有する請求項1に記載の方法。
【請求項８】
前記フィードバック信号は、アクノリッジ信号、否定アクノリッジ信号、チャネル状態インジケータ、受信電力インジケータ、パスロス及びチャネル品質インジケータのうちの少なくとも1つを含む、請求項7に記載の方法。
【請求項９】
デバイス間通信を監視するための処理をシステムに実行させるコンピュータ命令を実行するように構成されるプロセッサであって、前記処理は、
第1無線装置及び第2無線装置がデバイス間ペアとしてデバイス間通信により互いに通信するように構成されることを判定する工程と、
前記デバイス間ペアにペア識別子を割り当てる工程であって、前記ペア識別子は、盗聴から保護しながら、前記デバイス間ペアが互いに及び無線通信ネットワークのアクセスポイントと通信することを許容するように構成される、工程と、
前記デバイス間通信に参加する場合に前記ペア識別子を利用するように前記第1無線装置及び前記第2無線装置に指示する工程と、
を有する、プロセッサ。
【請求項１０】
前記処理は、前記第2無線装置が、復調リファレンス信号に基づいて前記第2無線装置により受信される前記第1無線装置からのデバイス間信号を復調するように構成されるように、前記復調リファレンス信号を前記第2無線装置へ伝達する工程を更に有する、請求項9に記載のプロセッサ。
【請求項１１】
前記処理が、
前記第1無線装置及び前記第2無線装置にデバイス間送信パラメータを伝達することを指示する工程と、
前記デバイス間送信パラメータに基づいて前記デバイス間通信を実行するように、前記第1無線装置及び前記第2無線装置に指示する工程と、
を更に有する、請求項9に記載のプロセッサ。
【請求項１２】
前記処理が、前記第1無線装置及び前記第2無線装置にスケジューリング情報を伝達することを指示する工程を更に有する、請求項9に記載のプロセッサ。
【請求項１３】
前記処理が、
デバイス間信号を前記第2無線装置へ伝達するように前記第1無線装置に指示する工程と、
前記第2無線装置が前記第1無線装置から前記デバイス間信号を受信したことを示すアクノリッジ信号を前記第2無線装置から受信する工程と、
前記アクノリッジ信号を受信することに応答して、以後のデバイス間信号を前記第2無線装置に伝達するように、前記第1無線装置に指示する工程と、
を更に有する、請求項9に記載のプロセッサ。
【請求項１４】
前記処理が、
デバイス間信号を前記第2無線装置へ伝達するように前記第1無線装置に指示する工程と、
前記第2無線装置が前記第1無線装置から前記デバイス間信号を受信しなかったことを示す否定アクノリッジ信号を前記第2無線装置から受信する工程と、
前記否定アクノリッジ信号を受信することに応答して、前記デバイス間信号を前記第2無線装置に再伝達するように、前記第1無線装置に指示する工程と、
を更に有する、請求項9に記載のプロセッサ。
【請求項１５】
前記処理が、
前記アクセスポイントにより受信される前記第2無線装置からのフィードバック信号に基づいて、前記第2無線装置に送信される前記第1無線装置からのデバイス間信号に関連する電力レベルを調整するように、前記第1無線装置に指示する工程であって、前記フィードバック信号は、前記第1無線装置及び前記第2無線装置の間の前記デバイス間通信に関連する情報を示す、工程をさらに有する、請求項9に記載のプロセッサ。
【請求項１６】
前記フィードバック信号は、アクノリッジ信号、否定アクノリッジ信号、チャネル状態インジケータ、受信電力インジケータ、パスロス及びチャネル品質インジケータのうちの少なくとも1つを含む、請求項15に記載のプロセッサ。
【請求項１７】
デバイス間通信に参加する方法であって、
第1無線装置及び第2無線装置がデバイス間ペアとなるように、前記第1無線装置により、前記第2無線装置とのデバイス間通信を設定する工程と、
前記デバイス間ペアに割り当てられるペア識別子を受信する工程であって、前記ペア識別子は、盗聴から保護しながら、前記デバイス間ペアが互いに及び無線通信ネットワークのアクセスポイントと通信することを許容するように構成される、工程と、
前記第1無線装置により、前記ペア識別子を利用して、前記第2無線装置との前記デバイス間通信に参加する工程と、
を有する方法。
【請求項１８】
前記第1無線装置により、デバイス間送信パラメータを受信する工程と、
前記第1無線装置により、前記デバイス間送信パラメータに基づいて、デバイス間信号を前記第2無線装置に送信する工程と、
を更に有する請求項17に記載の方法。
【請求項１９】
前記デバイス間送信パラメータがデバイス間スケジューリング情報を含む、請求項18に記載の方法。
【請求項２０】
前記第1無線装置により、前記第2無線装置にデバイス間信号を送信する工程と、
前記第2無線装置が前記第1無線装置から前記デバイス間信号を受信したことを示すアクノリッジ信号を、前記アクセスポイントが前記第2無線装置から受信することに応答して、前記第1無線装置が、前記第2無線装置に以後のデバイス間信号を送信する工程と、
を有する請求項17に記載の方法。
【請求項２１】
前記第1無線装置により、前記第2無線装置にデバイス間信号を送信する工程と、
前記第2無線装置が前記第1無線装置から前記デバイス間信号を受信しなかったことを示す否定アクノリッジ信号を、前記アクセスポイントが前記第2無線装置から受信することに応答して、前記第1無線装置が、前記第2無線装置に前記デバイス間信号を再送する工程と、
を有する請求項17に記載の方法。
【請求項２２】
前記アクセスポイントにより受信される前記第2無線装置からのフィードバック信号に基づいて、前記第1無線装置と前記第2無線装置との間の前記デバイス間通信に関連する電力レベルを調整する工程であって、前記フィードバック信号は、前記第1無線装置と前記第2無線装置との間の前記デバイス間通信に関連する情報を示す、工程をさらに有する請求項17に記載の方法。
【請求項２３】
前記フィードバック信号は、アクノリッジ信号、否定アクノリッジ信号、チャネル状態インジケータ、受信電力インジケータ、パスロス及びチャネル品質インジケータのうちの少なくとも1つを含む、請求項22に記載の方法。
【請求項２４】
デバイス間通信に参加するための処理をシステムに実行させるコンピュータ命令を実行するように構成されるプロセッサであって、前記処理は、
第1無線装置及び第2無線装置がデバイス間ペアとなるように、前記第1無線装置により、前記第2無線装置とのデバイス間通信を設定する工程と、
前記デバイス間ペアに割り当てられるペア識別子を受信する工程であって、前記ペア識別子は、盗聴から保護しながら、前記デバイス間ペアが互いに及び無線通信ネットワークのアクセスポイントと通信することを許容するように構成される、工程と、
前記ペア識別子を利用して、前記第2無線装置との前記デバイス間通信に対する前記第1無線装置の参加を指示する工程と、
を有する、プロセッサ。
【請求項２５】
前記処理が、
前記第1無線装置により、デバイス間送信パラメータを受信する工程と、
前記デバイス間送信パラメータに基づいて、前記第1無線装置から前記第2無線装置へのデバイス間信号の送信を指示する工程と、
を更に有する、請求項24に記載のプロセッサ。
【請求項２６】
前記デバイス間送信パラメータがデバイス間スケジューリング情報を含む、請求項25に記載のプロセッサ。
【請求項２７】
前記処理が、
前記第1無線装置から前記第2無線装置へのデバイス間信号の送信を指示する工程と、
前記第2無線装置が前記第1無線装置から前記デバイス間信号を受信したことを示すアクノリッジ信号を、前記アクセスポイントが前記第2無線装置から受信することに応答して、前記第1無線装置から前記第2無線装置への以後のデバイス間信号の送信を指示する工程と、
を有する、請求項24に記載のプロセッサ。
【請求項２８】
前記処理が、
前記第1無線装置から前記第2無線装置へのデバイス間信号の送信を指示する工程と、
前記第2無線装置が前記第1無線装置から前記デバイス間信号を受信しなかったことを示す否定アクノリッジ信号を、前記アクセスポイントが前記第2無線装置から受信することに応答して、前記第1無線装置から前記第2無線装置への前記デバイス間信号の再送を指示する工程と、
を有する、請求項24に記載のプロセッサ。
【請求項２９】
前記処理が、
前記アクセスポイントにより受信される前記第2無線装置からのフィードバック信号に基づいて、前記第1無線装置と前記第2無線装置との間の前記デバイス間通信に関連する電力レベルを調整する工程であって、前記フィードバック信号は、前記第1無線装置と前記第2無線装置との間の前記デバイス間通信に関連する情報を示す、工程をさらに有する、請求項24に記載のプロセッサ。
【請求項３０】
前記フィードバック信号は、アクノリッジ信号、否定アクノリッジ信号、チャネル状態インジケータ、受信電力インジケータ、パスロス及びチャネル品質インジケータのうちの少なくとも1つを含む、請求項29に記載のプロセッサ。
【発明の詳細な説明】
【技術分野】
【０００１】
本開示はネットワークで監視されるデバイス間通信に関連する。
【背景技術】
【０００２】
無線通信ネットワークを利用するスマートフォン、ラップトップコンピュータ及びその他の電子装置(一般的に「無線装置」と言及される)の普及は、ユビキタスで連続的な無線音声及びデータアクセスに対する需要の増加を生み出した。デバイス間(device-to-device：D2D)通信はこの要請を満たすことを促すかもしれない。例えば、D2D通信は、無線装置の間で実行され、無線装置が情報を取得すること及び互いに情報を通信することを許容する。このD2D通信は無線通信リソースの再利用を許容し、無線音声及びデータアクセスに対する要請を満たすことを促す。
【０００３】
本願で対象とされる事項は、如何なる欠点も解決する実施形態や上記のような環境でしか動作しない実施形態には限定されない。むしろこの背景技術は本願で説明される何らかの実施形態が実施されてよい技術分野の一例を示すことのみのために提供されている。
【発明の概要】
【０００４】
一実施形態によれば、デバイス間通信を監視する方法は、第1無線装置及び第2無線装置がデバイス間ペアとしてデバイス間通信により互いに通信するように構成されることを判定することを含む。本方法は、デバイス間ペアにペア識別子を割り当てることを更に含む。ペア識別子は、盗聴から保護しながら、デバイス間ペアが互いに及び無線通信ネットワークのアクセスポイントと通信することを許容するように構成される。更に、本方法は、デバイス間通信に参加する場合にペア識別子を利用するように第1無線装置及び第2無線装置に指示することを含む。
【０００５】
実施形態の課題及び利点は、本願で特に指摘される要素、特徴及び組み合わせにより少なくとも実現及び達成される。
【０００６】
上記の一般的な説明及び以下の詳細な説明の双方は、例示的及び説明的であり、本願の内容についての制限ではないことが、理解されるべきである。
【図面の簡単な説明】
【０００７】
実施形態の具体例は添付図面を利用することにより更なる特殊性及び詳細とともに記述及び説明される。
【図１】無線装置のペアの間のデバイス間(D2D)通信を監視するように構成される例示的な無線通信ネットワークを示す図である。
【図２】無線装置のペアの間のD2D通信を監視するための例示的なシグナリングシーケンスを示す図である。
【図３】無線ネットワークで監視されるD2D通信のための方法例のフローチャートを示す図である。
【発明を実施するための形態】
【０００８】
特定の実施形態では、以下において更に詳細に説明されるように、無線通信ネットワークは、第1無線装置及び第2無線装置がD2Dペアとしてデバイス間(D2D)通信により互いに通信するように構成されていることを判定するように構成される。ここで使用されるように、「D2Dペア」は、例えば第1無線装置及び第2無線装置のような無線装置のペアであり、D2D通信により互いに通信する。以下において更に詳細に説明されるように、無線通信ネットワークは、D2Dペアの間のD2D通信を監視(又は管理)するように構成される。D2Dペアの間のD2D通信を管理することにより、D2Dペアの第1及び第2無線装置は、例えば各自の場所や固有の装置識別子等(ただし、これらに限定されない)のような機密情報をさらけ出す必要なしに、互いに及び/又は他の無線装置とD2D通信を実行してよい。
【０００９】
本開示の実施形態は添付図面を参照しながら説明される。
【００１０】
図1は、無線装置のD2Dペアの間のD2D通信を監視するように構成される本開示の少なくとも一実施形態による例示的な無線通信ネットワーク100(以後、「ネットワーク100」のように言及される)を示す。ネットワーク100は、1つ以上のアクセスポイント102を介して、1つ以上の無線装置104に無線通信サービスを提供するように構成される。無線通信サービスは、音声サービス、データサービス、メッセージングサービス、及び/又は、それらの適切な任意の組み合わせであってもよい。ネットワーク100は、周波数分割多重アクセス(FDMA)ネットワーク、直交FDMA(OFDMA)ネットワーク、符号分割多重アクセス(CDMA)ネットワーク、時間分割多重アクセス(TDMA)ネットワーク、及び/又は、その他の無線通信ネットワークを含んでもよい。一実施形態において、ネットワーク100は、第3世代(3G)無線通信ネットワーク及び/又は第4世代(4G)無線通信ネットワークとして構成されてもよい。これらの及び他の実施形態において、ネットワーク100はロングタームエボリューション(LTE)無線通信ネットワークとして構成されてもよい。
【００１１】
ネットワーク100は無線制御ユニット101を含んでもよい。一実施形態において、ネットワーク制御ユニット101はアクセスポイント102とともにその場所に含まれてもよい。別の実施形態において、ネットワーク制御ユニット101はアクセスポイント102から遠隔した位置にあってもよい。ネットワーク制御ユニット101は、ネットワークのコアネットワークのコアネットワークアーキテクチャに関連し、コアネットワークプロトコルに関連する処理を実行するように構成されてもよい。例えば、ネットワーク制御ユニット101は、LTEコアネットワークのモビリティマネジメントエンティティ(MME)、サービングゲートウェイ(SGW)又はパケットゲートウェイ(PGW)とともに含まれていてもよい。
【００１２】
アクセスポイント102は、適切な如何なる無線通信ネットワーク通信ポイントであってもよく、例えば、基地局、エボルブドノードB基地局(eNodeB、eNB)、リモート無線ヘッド(RRH)又は適切な他の任意の通信ポイント等を含んでよいが、これらに限定されない。無線装置104は、無線通信サービスを受けるためにネットワーク100を利用してよい任意の装置を含んでよく、例えば、セルラ電話機、スマートフォン、パーソナルディジタルアシスタント(PDA)、ラップトップコンピュータ、パーソナルコンピュータ、タブレットコンピュータ、又は、その他の任意の同様な装置を含んでよいが、これらに限定されない。
【００１３】
上述したように、一実施形態において、ネットワーク100は無線装置104の間のD2D通信を監視するように構成される。これらの実施形態では、アクセスポイント102が、D2Dペアの間のD2D通信を監視してもよい。
【００１４】
例えば、無線装置104a及び無線装置104bは、互いにD2D通信を行うことに参加するように構成されるD2Dペアであってもよい。アクセスポイント102は、無線装置104a及び無線装置104bの間のD2D通信を制御及び管理するように構成されてもよい。図1に示される実施形態において、無線装置104aは、無線装置104bにD2D信号を送信するように説明される。従って、無線装置104aは「送信する(又は送信側の)」無線装置として言及されてもよい。図1に示される実施形態において、無線装置104bは、無線装置104aからD2D信号を受信するように説明され、「受信する(又は受信側の)」無線装置として言及されてもよい。しかしながら、別の状況では、無線装置104aが受信側の無線装置として機能し、無線装置104bが送信側の無線装置として機能してもよい。図2は、アクセスポイント102が送信側の無線装置104aと受信側の無線装置104bとの間でD2D通信を管理及び指示(又は命令)する更に詳細な方法を示す。
【００１５】
本開示の範囲から逸脱することなく、変形、追加又は削除が図1の例に対してなされてもよい。例えば、ネットワーク100は任意の数のアクセスポイント102及び無線装置104を含んでよい。更に、任意の数のD2Dペアの間のD2D通信は、アクセスポイント102により指示及び管理されてもよい。更に、送信側の無線装置104a及び/又は受信側の無線装置104bが他のD2Dペアに含まれてもよい。
【００１６】
図2は、D2DペアのD2D通信を監視するための本開示の少なくとも何らかの実施形態による例示的なシグナリングシーケンス200を示す。シグナリングシーケンス200のうちの1つ以上のステップは、図1のアクセスポイント102のようなアクセスポイント、図1の送信側の無線装置104aのような送信側の無線装置、及び、図1の受信側の無線装置104bのような受信側の無線装置により実行されてよい。
【００１７】
シグナリングシーケンス200が始まると、ステップ202において、送信側の無線装置及び受信側の無線装置はD2Dディスカバリを実行する。例えば、送信側の無線装置は近隣ディスカバリ信号(又は周辺発見信号)を送信し、受信側の無線装置は近隣ディスカバリ信号を受信する。例示の実施形態において、アクセスポイントは例えば次の文献に示されるようなD2Dディスカバリを管理してもよく、これらの文献は何れも本願のリファレンスに組み込まれる：2013年3月14日付で出願された「NETWORK  SUPERVISED  WIRELESS  DEVICE  NEIGHBOR  DISCOVERY」と題するZhu  et  al.による米国出願第13/828,457号、及び、2013年3月14日付で出願された「POWER  CONTROL  OF  NEIGHBOR  DISCOVERY  SIGNALS」と題するZhu  et  al.による米国出願第13/828,617号。別の実施形態において、アクセスポイントは、米国出願第13/828,457号及び13/828,617号に記載されているもの以外の何らかの適切な方法で、送信側の無線装置及び受信側の無線装置の間のD2Dディスカバリを管理してもよい。更に別の実施形態において、送信側の無線装置及び受信側の無線装置は、アクセスポイントからの指示によらずに、D2Dディスカバリを実行してもよい。
【００１８】
ステップ204において、送信側の無線装置及び受信側の無線装置がD2Dペアとして行使されるように、送信側の無線装置及び受信側の無線装置は、D2Dペアリングを開始する。説明される実施形態において、アクセスポイントは、上述したようにリファレンスに組み込まれる米国特許出願第13/828,457号及び13/828,617号で説明されるようなD2Dペアリングを開始するように、送信側の無線装置及び受信側の無線装置を指図(又は命令)してもよい。別の実施形態において、アクセスポイントは、米国特許出願第13/828,457号及び13/828,617号で説明されるものとは異なる何らかの適切な方法でD2Dペアリングを開始するように、送信側の無線装置及び受信側の無線装置を指図してもよい。更に別の実施形態において、送信側の無線装置及び受信側の無線装置は、アクセスポイントからの指示によらずに互いの間でD2Dペアリングを介してもよいが、それらがD2Dペアとして構成されることをアクセスポイントに通知してもよい。
【００１９】
ステップ206において、送信側の無線装置は受信側の無線装置にリファレンス信号を伝達する。ステップ208において、受信側の無線装置は、送信側の無線装置と受信側の無線装置との間のD2D通信チャネルに関連する情報(「D2Dチャネル状態情報」と言及される)を推定する。受信側の無線装置は、送信側の無線装置から伝達されたリファレンス信号に基づいて、D2Dチャネル状態情報を推定してもよい。
【００２０】
例えば、受信側の無線装置は、受信したリファレンス信号に基づいて、送信側の無線装置と受信側の無線装置との間のパスロスを推定してもよい。これら及び他の実施形態では、受信されるリファレンス信号に基づいて、受信側の無線装置は、送信側の無線装置と受信側の無線装置との間のD2Dチャネルに関連するチャネル品質情報(CQI)を推定してもよい。更に、受信側の無線装置は、受信されるリファレンス信号に基づいて、D2Dチャネルの電力マージンインジケータ(PMI)及び/又は屈折率(refractive  index：RI)を判定してもよい。ステップ210において、受信側の無線装置は、判定したD2Dチャネル状態情報をアクセスポイントに伝達する。
【００２１】
ステップ212において、送信側の無線装置はアクセスポイントに送信要求(又は送信リクエスト)を伝達してもよい。送信要求は、送信側の無線装置が受信側の無線装置へD2D信号を送信することを要求していることを示してもよい。一実施形態において、送信側の無線装置は、物理アップリンク制御チャネル(PUCCH)、物理アップリンク共有チャネル(PUSCH)又は何らかの他のチャネルで送信要求を伝達してもよい。
【００２２】
ステップ214において、アクセスポイントは、送信側の無線装置から受信側の無線装置へのD2D信号の送信に関するD2D送信パラメータを決定してもよい。D2D送信パラメータは、D2D信号の周波数範囲や、D2D信号の送信のためのタイムスロット等のようなD2D通信スケジューリング情報を含んでもよい。更に、送信パラメータは、D2Dチャネルに関連するPMI、D2D信号のための送信電力、及び/又は、ハイブリッド自動再送要求(HARQ)情報などを含んでもよい。
【００２３】
更に、一実施形態において、送信パラメータは、アクセスポイントがD2Dペアに割り当てるペア識別子を含んでもよい。ペア識別子は、受信側の無線装置に送信されるD2D信号をスクランブルするために送信側の無線装置により使用され、かつ、送信側の無線装置から受信されるD2D信号をデスクランブルするために受信側の無線装置により使用されてもよい。更に、ペア識別子は、送信側の無線装置及び/又は受信側の無線装置によりアクセスポイントに伝達される他のD2D関連信号、或いは、受信側の無線装置から送信側の無線装置へ伝達されるD2D関連信号をスクランブルするために使用されてもよい。ペア識別子は、D2D関連通信を傍受又は盗聴(eavesdropping)から保護することにより、D2D関連通信における強化された安全性を提供する。更に、ペア識別子は、送信側の無線装置及び受信側の無線装置が、機密情報を互いに及び/又は他の無線装置にさらけ出す必要性をなくし、機密情報は例えばそれらの場所や固有の装置識別子などであるが、これらに限定されない。一実施形態において、ペア識別子は、D2D無線ネットワークテンポラリ識別子(D2D-RNTI)であってもよい。
【００２４】
一実施形態において、送信パラメータは復調リファレンス信号を含んでもよい。復調リファレンス信号は、送信側の無線装置から受信されるD2D信号を復調するために、受信側の無線装置により使用される。
【００２５】
ステップ216において、アクセスポイントは送信側の無線装置に送信パラメータを伝達し、アクセスポイントは、送信パラメータに基づいて受信側の無線装置にD2D信号を送信するように送信側の無線装置を指図する。ステップ218において、受信側の無線装置が送信パラメータに基づいて送信側の無線装置からのD2D信号を監視するように、アクセスポイントは受信側の無線装置にも送信パラメータを伝達する。
【００２６】
一実施形態において、アクセスポイントは、送信側の無線装置及び受信側の無線装置に他の送信パラメータを伝達する前に、ステップ214で指定されるペア識別子(例えば、D2D-RNTI)を送信側の無線装置及び受信側の無線装置に伝達してもよい。従って、アクセスポイントは、ペア識別子を用いて残りの送信パラメータを伝達し、送信側の無線装置及び受信側の無線装置はペア識別子を用いて他の送信パラメータを待機してもよい。
【００２７】
一実施形態において、アクセスポイントは、送信側の無線装置から送信要求を受信することに応答して、送信パラメータを決定及び伝達してもよい。一実施形態において、アクセスポイントは、送信パラメータを、ダウンリンク制御情報(DCI)に含めてもよいし、或いは、送信側の無線装置及び受信側の無線装置に伝達される他の情報に含めてもよい。ステップ216及び218は、説明される実施形態とは異なる順序で又は同時になされてもよいことに留意を要する。例えば、アクセスポイントが送信側の無線装置に送信パラメータを伝達すること(ステップ216)よりも前又はそれとほぼ同時に、アクセスポイントは受信側の無線装置に送信パラメータを伝達してもよい(ステップ218)。送信パラメータを伝達する際にペア識別子(例えば、D2D-RNTI)を利用することは、送信側の無線装置及び受信側の無線装置に対する同時伝達を許容する。
【００２８】
ステップ220において、送信側の無線装置は、送信パラメータに基づいて受信側の無線装置にD2D信号を伝達する。例えば、送信側の無線装置は、アクセスポイントにより決定される送信パラメータに含まれるスケジューリング情報で通知される周波数及びタイムスロットによりD2D信号を伝達する。代替的又は追加的に、送信側の無線装置は、送信パラメータに含まれるペア識別子を利用して、D2D信号を送信してもよい。代替的又は追加的に、送信側の無線装置は、送信パラメータにより示される電力レベルでD2D信号を送信してもよい。
【００２９】
ステップ222において、受信側の無線装置は、アクセスポイントから受信される送信パラメータに基づいてD2D信号を待機する。例えば、受信側の無線装置は、送信パラメータにより指定されるタイムスロット及び周波数でD2D信号を待機してもよい。受信側の無線装置がD2D信号を受信する場合に、受信側の無線装置がD2D信号をデスクランブルするように、受信側の無線装置は、ペア識別子を用いて、受信される無線信号のデスクランブルを試みてもよい。一形態におけるステップ220及び222は、アクセスポイントにより決定される送信パラメータに基づいて同時になされてもよいことに留意を要する。すなわち、送信側の無線装置は、受信側の無線装置がD2D信号を待機している同じ時間に(例えば、送信パラメータで指定されるタイムスロットで)、D2D信号を受信側の無線装置に伝達してもよい。
【００３０】
ステップ224において、受信側の無線装置はアクセスポイントにフィードバック信号を伝達する。フィードバック信号は、受信側の無線装置によるD2D信号の受信に関する情報を含んでよい。例えば、受信側の無線装置がD2D信号を受信する場合、フィードバック信号は、受信側の無線装置が送信側の無線装置からD2D信号を受信したことを示すアクノリッジ信号(又は肯定応答の送達確認信号)(ACK)を含んでもよい。逆に、受信側の無線装置がD2D信号を受信しない場合、フィードバック信号は、受信側の無線装置が送信側の無線装置からD2D信号を受信しなかったことを示す否定的なアクノリッジ信号(又は否定応答の送達確認信号)(NACK)を含んでもよい。これら及び他の実施形態において、フィードバック信号は、送信側の無線装置と受信側の無線装置との間のD2Dチャネルに関連するチャネル情報を含んでもよい。例えば、フィードバック信号は、送信側の無線装置と受信側の無線装置との間のD2Dチャネルに関連するパスロス、CQI、PMI及びRI(例えば、ランクインジケータ)を含んでもよい。更に、フィードバック信号は、受信側の無線装置により受信されるようなD2D信号の電力に関連する受信電力情報を含んでもよい。一実施形態において、受信側の無線装置は、PUCCH、PUSCH又は他の何らかのチャネルにより、フィードバック信号をアクセスポイントに伝達してもよい。
【００３１】
ステップ226において、アクセスポイントは、フィードバック信号を受信することに応答して以後の送信パラメータを決定してもよい。例えば、フィードバック信号がNACK信号を含む場合、アクセスポイントは、送信側の無線装置にD2D信号の再送を指図することに関連する以後の送信パラメータを決定してもよい。
【００３２】
これに対して、フィードバック信号がACK信号を含む場合において、送信側の無線装置が受信側の無線装置へ送信する更なるデータを有する場合、アクセスポイントは、受信側の無線装置へ以後のD2D信号を送信するように送信側の無線装置を指図することに関する以後の送信パラメータを決定してもよい。これら及び他の実施形態において、ACK信号と、送信側の無線装置が受信側の無線装置へ更なる情報を送信することを望むことを示す別の送信要求とを、送信側の無線装置から受信することに応答して、アクセスポイントは、以後の送信パラメータを決定してもよい。別の実施形態において、ステップ212で送信される送信要求は、送信側の無線装置が、1回より多いD2D送信で受信側の無線装置へ送信するデータを有することを示してもよい。
【００３３】
アクセスポイントは、ACK信号、NACK信号及び/又はフィードバック信号に含まれる他の情報(例えば、チャネル状態情報)に基づいて、他の以後の送信パラメータ(例えば、送信電力、タイムスロット、周波数など)を決定してもよい。例えば、フィードバック信号がNACK信号を含む場合、アクセスポイントは、再送されるD2D信号の信号電力を増やすように送信側の無線装置に指図してもよい。
【００３４】
ステップ228において、以後の送信パラメータに基づいてD2D信号を再送する或いは以後のD2D信号を送信するように送信側の無線装置が構成されるように、アクセスポイントは送信側の無線装置に以後の送信パラメータを伝達する。ステップ230において、以後の送信パラメータに基づいて、再送されるD2D信号或いは以後のD2D信号を受信するように受信側の無線装置が構成されるように、アクセスポイントは受信側の無線装置に以後の送信パラメータを伝達する。ステップ216及び218において送信される送信パラメータと同様に、以後の送信パラメータは、ダウンリンク制御情報又は他の情報に含められてもよく、送信側の無線装置及び受信側の無線装置に割り当てられるペア識別子(例えば、D2D-RNTI)を用いて送信されてもよい。ステップ228及び230は、説明される実施形態とは異なる順序で又は同時になされてもよいことに留意を要する。例えば、アクセスポイントが送信側の無線装置に以後の送信パラメータを伝達すること(ステップ228)よりも前又はそれと同時に、アクセスポイントは受信側の無線装置に以後の送信パラメータを伝達してもよい(ステップ230)。上記の場合と同様に、以後の送信パラメータを伝達する際にペア識別子(例えば、D2D-RNTI)を利用することは、送信側の無線装置及び受信側の無線装置に対する同時伝達を許容する。
【００３５】
上述したように、シグナリングシーケンス200は、送信側の無線装置及び受信側の無線装置の間のD2D通信を監視するために使用されてよい。更に、上述したように、D2D通信についての指示及び管理は、送信側の無線装置及び受信側の無線装置に応対(又はサービス提供)するアクセスポイントにより実行されてよい。
【００３６】
当業者は、ここで説明されるこれら及び他のプロセス及び方法に関し、シグナリングシーケンス200のプロセス及び方法で実行される機能は異なる順序で実現されてよいことを認めるであろう。更に、説明されるステップ及び処理は具体例として与えられているに過ぎず、開示される実施形態の本質から逸脱することなく、あるステップ及び処理は、選択的であってもよいし、より数の少ないステップ及び処理に組み合わせられてもよいし、或いは、追加的なステップ及び処理に拡張されてもよい。
【００３７】
更に、「送信側(又は送信する)」及び「受信側(受信する)」という用語は、D2D通信における無線装置が行う能力を説明するために使用される。従って、D2Dペアにおける各々の無線装置は、特定の時点では送信側の無線装置又は受信側の無線装置として機能を発揮してもよい。更に、一実施形態において、D2Dペアの無線装置は、別のD2Dペアに含まれてもよい。
【００３８】
図3は、本開示の少なくとも何らかの実施形態による無線ネットワークで監視されるD2D通信の方法例300についてのフローチャートである。方法300は、一実施形態では、図1に関して説明されるネットワーク100のような無線通信ネットワークにより実現されてもよい。例えば、図1のアクセスポイント102は、方法300の1つ以上のブロックで表現されるような無線装置間のD2D通信を監視するための1つ以上の処理を実行するコンピュータ命令を実行するように構成される。個々のブロックで示されるが、所望の実現手段に依存して、様々なブロックは、更なるブロックに分割されてもよいし、より数の少ないブロックに統合されてもよいし、省略されてもよい。
【００３９】
方法300はブロック302から始まり、第1無線装置及び第2無線装置がD2DペアとしてD2D通信により互いに通信するように構成されることが確認されてもよい。一実施形態において、この確認は、アクセスポイントが第1無線装置及び/又は第2無線装置から情報を受信することに基づいて、アクセスポイントによりなされてもよい。これら及び他の実施形態において、アクセスポイントは、D2D通信を開始するように第1無線装置及び第2無線装置をアクセスポイントが指示することに基づいて、上記の確認を行ってもよい。
【００４０】
ブロック304において、第1無線装置及び第2無線装置を含むD2Dペアに対してペア識別子が割り当てられる。上述したように、ペア識別子は、D2D関連通信を盗聴から保護しながら、D2Dペアが互いに及びアクセスポイントと通信することを許容する。更に、上述したように、一実施形態において、ペア識別子はRNTIであってもよい。ブロック306において、第1無線装置及び第2無線装置は、D2D通信に参加する場合に、ペア識別子を使用するように指示されてもよい。
【００４１】
従って、方法300は、D2D通信の無線通信ネットワーク監視を実行するために使用されてよい。当業者は、ここで説明されるこれら及び他のプロセス及び方法に関し、プロセス及び方法で実行される機能が異なる順序で実現されてもよいことを認めるであろう。更に、説明されるステップ及び処理は具体例として与えられているに過ぎず、開示される実施形態の本質から逸脱することなく、あるステップ及び処理は、選択的であってもよいし、より数の少ないステップ及び処理に組み合わせられてもよいし、或いは、追加的なステップ及び処理に拡張されてもよい。
【００４２】
例えば、方法300は、D2D信号を第2無線装置に伝達し、第2無線装置がD2D信号を受信した又は受信してないことに関連するフィードバック信号を受信するように、第1無線装置に指図することに関連するステップを更に含んでもよい。更に、方法300は、第1及び第2無線装置に送信パラメータ(例えば、信号電力、スケジューリング情報など)を伝達することに関連するステップを含んでもよい。
【００４３】
ここで説明される実施形態はコンピュータ読み取り可能な媒体を用いて実現されてもよく、媒体は、そこに保存されるコンピュータ実行可能な命令及びデータ構造を担う又は有する。コンピュータ読み取り可能な媒体は、汎用又は専用のコンピュータによりアクセスされる利用可能な任意の媒体であってよい。限定ではない一例として、そのようなコンピュータ読み取り可能な媒体は有形のコンピュータ読み取り可能な記憶媒体を含み、記憶媒体は、RAM、ROM、EEPROM、CD-ROM又は他の光学的ディスクストレージ、磁気ディスクストレージ又は他の磁気ストレージデバイスを含んでよく、或いは、コンピュータ実行可能な命令又はデータ構造の形式で所望のプログラムコードを担う又は保存するために使用され及び汎用又は専用のコンピュータによりアクセスされる他の任意の記憶媒体を含んでよい。上記の組み合わせもコンピュータ読み取り可能な媒体の範囲に包含されてよい。
【００４４】
コンピュータ実行可能な命令は、例えば、汎用コンピュータ、専用コンピュータ又は専用処理装置に、所定の機能又は一群の機能を実行させる命令及びデータを含む。説明対象の事項は、構造的な特徴及び/又は方法的な処理に特化した言葉で説明されているが、本願で特定される対象事項は上述されるような特定の特徴又は処理に必ずしも限定されないことが理解されるべきである。むしろ説明される特定の特徴及び処理は実施するための具体的形態として開示されている。
【００４５】
ここで使用されるように、「モジュール」又は「コンポーネント」等の用語は、コンピュータシステムで実行するソフトウェアオブジェクト又はルーチンを指してもよい。本願で説明される様々なコンポーネント、モジュール、エンジン及びサービスは、コンピュータシステムで実行するオブジェクト又はプロセス(例えば、個々のスレッド)として実現されてもよい。ここで説明されるシステム及び方法は好ましくはソフトウェアで実現されるが、ハードウェア又はソフトウェアとハードウェアとの組み合わせによる実現も可能であり、それらは本願でも想定されている。本説明において、「演算装置(コンピューティングエンティティ)」は、上述したように任意のコンピューティングシステムであってもよいし、或いは、コンピューティングシステムで動作する何らかのモジュール又はモジュールの組み合わせであってもよい。
【００４６】
ここで示される全ての具体例及び条件付けの言葉は、技術を促進するために発明者等が貢献した本開示及び概念を理解する際に読者を支援する教育的な目的を意図しており、そのような具体的に言及される具体例や条件に限定することなく解釈されるべきである。本開示による実施形態が詳細に説明されてきたが、本開示の精神及び範囲から逸脱することなく、様々な変形、置換及び代替がそれらになされてよいことが、理解されるべきである。
【図１】
2016516361.tif 000003
【図２】
2016516361.tif 000004
【図３】
2016516361.tif 000005
【国際調査報告】
2016516361.tif 000006